(57)【要約】【課題】空を飛ぶ、宙に浮上する、宙で移動する、若しくは、宙を舞う。良く、効率よく、安全に。【解決手段】吉野  ヘリコン。ヘリコプター、天体移動型ヘリコプター。惑星移動型人工衛星。  コンパクト化されるような、トランスフォーマー型。効率よく医療場へも行けるトランスポーター。【選択図】図２
2008285130.tif 000002
【特許請求の範囲】
【請求項１】
図面、要約書、明細書によって示唆さる、システム。
【請求項２】
請求項１において、図面、要約書、明細書によって示唆さる、システムを用いる物流システム発明。
【請求項３】
請求項１において、図面、要約書、明細書によって示唆さる、システムのデザイン発明。
【請求項４】
請求項１において、図面、要約書、明細書によって示唆さる、システムの応用発明。
【発明の詳細な説明】
【技術分野】
【０００１】ヘリコプターにおける技術分野
【背景技術】
【０００２】空を飛ぶ技術。
【発明の開示】
【発明が解決しようとする課題】
【０００３】空を飛ぶ、宙に浮上する、宙で移動する、若しくは、宙を舞う。良く、効率よく、安全に。
【課題を解決するための手段】
【０００４】ヘリコプター、天体移動型ヘリコプター。惑星移動型人工衛星。  コンパクト化されるような、トランスフォーマー型。効率よく医療場へも行けるトランスポーター型。吉野シミュレーターの搭載によって、危険の察知を先にする。
【発明の効果】
【０００５】良く、効率よく、安全に、空を飛ぶ、宙に浮上する、宙で移動する、若しくは、宙を舞う。
【発明の実施する最良の形態】
【０００６】ピラミッドにヘリコプターの羽をつけるか、若しくは、ピラミッドがジェットで飛ぶ。それらが、着陸の際、大体、ピラミッドになる。
【０００７】ドラゴン・スタイルのジェット機。空、若しくは、宇宙を飛ぶ。
【図面の簡単な説明】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴンヘッド。宇宙の航行用ヘリコプター。
【図１】
2008285130.tif 000003
【図２】
2008285130.tif 000004
【図３】
2008285130.tif 000005
【図４】
2008285130.tif 000006
【図５】
2008285130.tif 000007
【図６】
2008285130.tif 000008
【図７】
2008285130.tif 000009
【図８】
2008285130.tif 000010
【手続補正書】
【提出日】平成19年5月18日(2007.5.18)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【手続補正２】
【補正対象書類名】図面
【補正対象項目名】図９
【補正方法】追加
【補正の内容】
【図９】
2008285130.tif 000011
【手続補正３】
【補正対象書類名】図面
【補正対象項目名】図１０
【補正方法】追加
【補正の内容】
【図１０】
2008285130.tif 000012
【手続補正書】
【提出日】平成19年5月21日(2007.5.21)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、はじめでも良い。羽を広げるのは、浮上したあとでも良い。車庫や、空母への登場がしやすくなる。
【手続補正２】
【補正対象書類名】図面
【補正対象項目名】図１１
【補正方法】追加
【補正の内容】
【図１１】
2008285130.tif 000013
【手続補正３】
【補正対象書類名】図面
【補正対象項目名】図１２
【補正方法】追加
【補正の内容】
【図１２】
2008285130.tif 000014
【手続補正書】
【提出日】平成19年6月21日(2007.6.21)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、浮上したあとでも良い。車庫や、空母への登場がしやすくなる。
【図１３】カー・スタイルのトランスフォーマーが、ロボット型、飛行機型、宇宙線型、ドラゴン型などに変形していく。有機的な柔軟なボディーを有していてもよい。合成物、金属的な素材でもよい。ジェットエンジン、イオンエンジン、プラズマエンジン、などを有していてもよい。地、水、空、宙、について、両用・コンパチブルであれば、より良い。
【手続補正２】
【補正対象書類名】図面
【補正対象項目名】図１１
【補正方法】変更
【補正の内容】
【図１１】
2008285130.tif 000015
【手続補正３】
【補正対象書類名】図面
【補正対象項目名】図１２
【補正方法】変更
【補正の内容】
【図１２】
2008285130.tif 000016
【手続補正４】
【補正対象書類名】図面
【補正対象項目名】図１３
【補正方法】追加
【補正の内容】
【図１３】
2008285130.tif 000017
【手続補正書】
【提出日】平成19年6月23日(2007.6.23)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、はじめでも良い。羽を広げるのは、浮上したあとでも良い。車庫や、空母への登場がしやすくなる。
【図１３】カー・スタイルのトランスフォーマーが、ロボット型、飛行機型、宇宙線型、ドラゴン型などに変形していく。有機的な柔軟なボディーを有していてもよい。合成物、金属的な素材でもよい。ジェットエンジン、イオンエンジン、プラズマエンジン、などを有していてもよい。地、水、空、宙、について、両用・コンパチブルであれば、より良い。
【図１４】吉野レベッカハルのドラゴンへの、他のアプローチ例。イルカ／空飛ぶイルカの例。形をトランスフォームできる、イルカの例。この翼は、折りたたみ式でも良い。空海両用のイルカ。
【図１５】イルカ／ドラゴンの羽の例。空海両用のジェットエンジンによる垂直浮上も可能。水面下のオペレーションに向いている。空のプロペラ／ジェットエンジンと海のプロペラ／ジェットエンジンのシールドによる選択でもよい。アヒル型／鷲型でもよい。
【図１６】イルカ／ドラゴンの羽の例。羽を広げるのは、はじめでも良い。羽を広げるのは、浮上したあとでも良い。車庫や、空母への登場がしやすくなる。空母から、潜水艦として、航行して、適宜なところで、浮上してもよい。水面に上がってから、加速、飛行してもよい。必要なら、原子炉、核融合炉といったリアクターを搭載していてもよい。ドラゴン型にトランスフォームしてもよい。
【図１７】イルカ／ドラゴンの例。羽を広げている図。飛行の状態に応じえて、羽のフォーメーションを作る。羽は、もっとスリムでもよい。柔軟な素材であっても良い。必要なところでは、硬い／頑丈な素材／物質でもよい。フラップがついていてもよい。
【図１８】イルカ／ドラゴンの例。羽を広げている図。飛行の状態に応じえて、羽のフォーメーションを作る。フラップの機構がより明らかな構図。
【図１９】鳥／燕／鷲／イルカ／ドラゴンの例。羽を広げている図。飛行の状態に応じえて、羽のフォーメーションを作る。柔軟な素材を有していてもよい。フラップの機構がより明らかな構図。飛行速度を上げるフォーメーション。ミサイルのように飛行してもよい。
【図２０】イルカのシークエンスの例。トランスフォーミングの例。フリップ・フロップしていてもよい。フリップした状態で、船のように浮上してもよい。
【図２１】イルカ／ドラゴンの例。トランスフォーマーの例。フリップ・フロップしていてもよい。
【手続補正２】
【補正対象書類名】図面
【補正対象項目名】図１１
【補正方法】変更
【補正の内容】
【図１１】
2008285130.tif 000018
【手続補正３】
【補正対象書類名】図面
【補正対象項目名】図１２
【補正方法】変更
【補正の内容】
【図１２】
2008285130.tif 000019
【手続補正４】
【補正対象書類名】図面
【補正対象項目名】図１３
【補正方法】変更
【補正の内容】
【図１３】
2008285130.tif 000020
【手続補正５】
【補正対象書類名】図面
【補正対象項目名】図１４
【補正方法】追加
【補正の内容】
【図１４】
2008285130.tif 000021
【手続補正６】
【補正対象書類名】図面
【補正対象項目名】図１５
【補正方法】追加
【補正の内容】
【図１５】
2008285130.tif 000022
【手続補正７】
【補正対象書類名】図面
【補正対象項目名】図１６
【補正方法】追加
【補正の内容】
【図１６】
2008285130.tif 000023
【手続補正８】
【補正対象書類名】図面
【補正対象項目名】図１７
【補正方法】追加
【補正の内容】
【図１７】
2008285130.tif 000024
【手続補正９】
【補正対象書類名】図面
【補正対象項目名】図１８
【補正方法】追加
【補正の内容】
【図１８】
2008285130.tif 000025
【手続補正１０】
【補正対象書類名】図面
【補正対象項目名】図１９
【補正方法】追加
【補正の内容】
【図１９】
2008285130.tif 000026
【手続補正１１】
【補正対象書類名】図面
【補正対象項目名】図２０
【補正方法】追加
【補正の内容】
【図２０】
2008285130.tif 000027
【手続補正１２】
【補正対象書類名】図面
【補正対象項目名】図２１
【補正方法】追加
【補正の内容】
【図２１】
2008285130.tif 000028
【手続補正書】
【提出日】平成19年7月18日(2007.7.18)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、はじめでも良い。羽を広げるのは、浮上したあとでも良い。車庫や、空母への登場がしやすくなる。
【図１３】カー・スタイルのトランスフォーマーが、ロボット型、飛行機型、宇宙線型、ドラゴン型などに変形していく。有機的な柔軟なボディーを有していてもよい。合成物、金属的な素材でもよい。ジェットエンジン、イオンエンジン、プラズマエンジン、などを有していてもよい。地、水、空、宙、について、両用・コンパチブルであれば、より良い。
【図１４】吉野レベッカハルのドラゴンへの、他のアプローチ例。イルカ／空飛ぶイルカの例。形をトランスフォームできる、イルカの例。この翼は、折りたたみ式でも良い。空海両用のイルカ。
【図１５】イルカ／ドラゴンの羽の例。空海両用のジェットエンジンによる垂直浮上も可能。水面下のオペレーションに向いている。空のプロペラ／ジェットエンジンと海のプロペラ／ジェットエンジンのシールドによる選択でもよい。アヒル型／鷲型でもよい。
【図１６】イルカ／ドラゴンの羽の例。羽を広げるのは、はじめでも良い。羽を広げるのは、浮上したあとでも良い。車庫や、空母への登場がしやすくなる。空母から、潜水艦として、航行して、適宜なところで、浮上してもよい。水面に上がってから、加速、飛行してもよい。必要なら、原子炉、核融合炉といったリアクターを搭載していてもよい。ドラゴン型にトランスフォームしてもよい。
【図１７】イルカ／ドラゴンの例。羽を広げている図。飛行の状態に応じえて、羽のフォーメーションを作る。羽は、もっとスリムでもよい。柔軟な素材であっても良い。必要なところでは、硬い／頑丈な素材／物質でもよい。フラップがついていてもよい。
【図１８】イルカ／ドラゴンの例。羽を広げている図。飛行の状態に応じえて、羽のフォーメーションを作る。フラップの機構がより明らかな構図。
【図１９】鳥／燕／鷲／イルカ／ドラゴンの例。羽を広げている図。飛行の状態に応じえて、羽のフォーメーションを作る。柔軟な素材を有していてもよい。フラップの機構がより明らかな構図。飛行速度を上げるフォーメーション。ミサイルのように飛行してもよい。
【図２０】イルカのシークエンスの例。トランスフォーミングの例。フリップ・フロップしていてもよい。フリップした状態で、船のように浮上してもよい。
【図２１】イルカ／ドラゴンの例。トランスフォーマーの例。フリップ・フロップしていてもよい。
【図２２】吉野・フラクタル・ウウィング。人工の羽。自然の羽でもよい。羽を有する翼。ナノ、マイクロの細工を施して、そのリフト／ウウェイト、効率、効果が上がるようにしてもよい。小さいサイズでもよい。中ほどのサイズでもよい。巨大なサイズの羽であってもよい。鳥の羽、扇、翼、のように、広げてもよい。カワセミのような防水用でもよい。柔軟でもよい。リサイズしてもよい。伸縮してもよい。形態を変えてもよい。色を変えてもよい。フラクタルの原理か、その応用による、羽、扇、翼の構造をしていてもよい。ストラクチャーは、鳥の羽の骨の内部構造／構造のようになっていてもよい。チェインのようなストラクチャーをしていてもよい。ネットのようなストラクチャーをしていてもよい。渡り鳥で、海の中に入る鳥のような、潜水もできる鳥のような、機能／機構があってもよい。
【手続補正２】
【補正対象書類名】図面
【補正対象項目名】図１１
【補正方法】追加
【補正の内容】
【図１１】
2008285130.tif 000029
【手続補正３】
【補正対象書類名】図面
【補正対象項目名】図１２
【補正方法】変更
【補正の内容】
【図１２】
2008285130.tif 000030
【手続補正４】
【補正対象書類名】図面
【補正対象項目名】図１３
【補正方法】変更
【補正の内容】
【図１３】
2008285130.tif 000031
【手続補正５】
【補正対象書類名】図面
【補正対象項目名】図１４
【補正方法】変更
【補正の内容】
【図１４】
2008285130.tif 000032
【手続補正６】
【補正対象書類名】図面
【補正対象項目名】図１５
【補正方法】変更
【補正の内容】
【図１５】
2008285130.tif 000033
【手続補正７】
【補正対象書類名】図面
【補正対象項目名】図１６
【補正方法】変更
【補正の内容】
【図１６】
2008285130.tif 000034
【手続補正８】
【補正対象書類名】図面
【補正対象項目名】図１７
【補正方法】変更
【補正の内容】
【図１７】
2008285130.tif 000035
【手続補正９】
【補正対象書類名】図面
【補正対象項目名】図１８
【補正方法】変更
【補正の内容】
【図１８】
2008285130.tif 000036
【手続補正１０】
【補正対象書類名】図面
【補正対象項目名】図１９
【補正方法】変更
【補正の内容】
【図１９】
2008285130.tif 000037
【手続補正１１】
【補正対象書類名】図面
【補正対象項目名】図２０
【補正方法】変更
【補正の内容】
【図２０】
2008285130.tif 000038
【手続補正１２】
【補正対象書類名】図面
【補正対象項目名】図２１
【補正方法】変更
【補正の内容】
【図２１】
2008285130.tif 000039
【手続補正１３】
【補正対象書類名】図面
【補正対象項目名】図２２
【補正方法】追加
【補正の内容】
【図２２】
2008285130.tif 000040
【手続補正書】
【提出日】平成19年7月20日(2007.7.20)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、はじめでも良い。羽を広げるのは、浮上したあとでも良い。車庫や、空母への登場がしやすくなる。
【図１３】カー・スタイルのトランスフォーマーが、ロボット型、飛行機型、宇宙線型、ドラゴン型などに変形していく。有機的な柔軟なボディーを有していてもよい。合成物、金属的な素材でもよい。ジェットエンジン、イオンエンジン、プラズマエンジン、などを有していてもよい。地、水、空、宙、について、両用・コンパチブルであれば、より良い。
【図１４】吉野レベッカハルのドラゴンへの、他のアプローチ例。イルカ／空飛ぶイルカの例。形をトランスフォームできる、イルカの例。この翼は、折りたたみ式でも良い。空海両用のイルカ。
【図１５】イルカ／ドラゴンの羽の例。空海両用のジェットエンジンによる垂直浮上も可能。水面下のオペレーションに向いている。空のプロペラ／ジェットエンジンと海のプロペラ／ジェットエンジンのシールドによる選択でもよい。アヒル型／鷲型でもよい。
【図１６】イルカ／ドラゴンの羽の例。羽を広げるのは、はじめでも良い。羽を広げるのは、浮上したあとでも良い。車庫や、空母への登場がしやすくなる。空母から、潜水艦として、航行して、適宜なところで、浮上してもよい。水面に上がってから、加速、飛行してもよい。必要なら、原子炉、核融合炉といったリアクターを搭載していてもよい。ドラゴン型にトランスフォームしてもよい。
【図１７】イルカ／ドラゴンの例。羽を広げている図。飛行の状態に応じえて、羽のフォーメーションを作る。羽は、もっとスリムでもよい。柔軟な素材であっても良い。必要なところでは、硬い／頑丈な素材／物質でもよい。フラップがついていてもよい。
【図１８】イルカ／ドラゴンの例。羽を広げている図。飛行の状態に応じえて、羽のフォーメーションを作る。フラップの機構がより明らかな構図。
【図１９】鳥／燕／鷲／イルカ／ドラゴンの例。羽を広げている図。飛行の状態に応じえて、羽のフォーメーションを作る。柔軟な素材を有していてもよい。フラップの機構がより明らかな構図。飛行速度を上げるフォーメーション。ミサイルのように飛行してもよい。
【図２０】イルカのシークエンスの例。トランスフォーミングの例。フリップ・フロップしていてもよい。フリップした状態で、船のように浮上してもよい。
【図２１】イルカ／ドラゴンの例。トランスフォーマーの例。フリップ・フロップしていてもよい。
【図２２】吉野・フラクタル・ウウィング。人工の羽。自然の羽でもよい。羽を有する翼。ナノ、マイクロの細工を施して、そのリフト／ウウェイト、効率、効果が上がるようにしてもよい。小さいサイズでもよい。中ほどのサイズでもよい。巨大なサイズの羽であってもよい。鳥の羽、扇、翼、のように、広げてもよい。カワセミのような防水用でもよい。柔軟でもよい。リサイズしてもよい。伸縮してもよい。形態を変えてもよい。色を変えてもよい。フラクタルの原理か、その応用による、羽、扇、翼の構造をしていてもよい。ストラクチャーは、鳥の羽の骨の内部構造／構造のようになっていてもよい。チェインのようなストラクチャーをしていてもよい。ネットのようなストラクチャーをしていてもよい。渡り鳥で、海の中に入る鳥のような、潜水もできる鳥のような、機能／機構があってもよい。
【図２３】吉野一虎の宇宙式・指揮。吉野・３Ｄ・インテリジェント・システムのアルゴリズム。特に、オートパイロット、オブジェクト・クラシフィケーションに役立つ。吉野・人工知能のアルゴリズム。インプットを入れる。３Ｄフレームをつくる。幅を作る。類似化する。一般化する。言語とリンクする。帰納論理を作る。構成論理を作る。機能論理を作る。組合わせる。演鐸論理を作る。トポロジー論理を作る。思考実験をする。実験をする。オブジェクト、インスタントを制作する。アウトプットを出す。組合可能。
【手続補正２】
【補正対象書類名】図面
【補正対象項目名】図１１
【補正方法】追加
【補正の内容】
【図１１】
2008285130.tif 000041
【手続補正３】
【補正対象書類名】図面
【補正対象項目名】図１２
【補正方法】変更
【補正の内容】
【図１２】
2008285130.tif 000042
【手続補正４】
【補正対象書類名】図面
【補正対象項目名】図１３
【補正方法】変更
【補正の内容】
【図１３】
2008285130.tif 000043
【手続補正５】
【補正対象書類名】図面
【補正対象項目名】図１４
【補正方法】変更
【補正の内容】
【図１４】
2008285130.tif 000044
【手続補正６】
【補正対象書類名】図面
【補正対象項目名】図１５
【補正方法】変更
【補正の内容】
【図１５】
2008285130.tif 000045
【手続補正７】
【補正対象書類名】図面
【補正対象項目名】図１６
【補正方法】変更
【補正の内容】
【図１６】
2008285130.tif 000046
【手続補正８】
【補正対象書類名】図面
【補正対象項目名】図１７
【補正方法】変更
【補正の内容】
【図１７】
2008285130.tif 000047
【手続補正９】
【補正対象書類名】図面
【補正対象項目名】図１８
【補正方法】変更
【補正の内容】
【図１８】
2008285130.tif 000048
【手続補正１０】
【補正対象書類名】図面
【補正対象項目名】図１９
【補正方法】変更
【補正の内容】
【図１９】
2008285130.tif 000049
【手続補正１１】
【補正対象書類名】図面
【補正対象項目名】図２０
【補正方法】変更
【補正の内容】
【図２０】
2008285130.tif 000050
【手続補正１２】
【補正対象書類名】図面
【補正対象項目名】図２１
【補正方法】変更
【補正の内容】
【図２１】
2008285130.tif 000051
【手続補正１３】
【補正対象書類名】図面
【補正対象項目名】図２２
【補正方法】変更
【補正の内容】
【図２２】
2008285130.tif 000052
【手続補正１４】
【補正対象書類名】図面
【補正対象項目名】図２３
【補正方法】変更
【補正の内容】
【図２３】
2008285130.tif 000053
【手続補正書】
【提出日】平成19年7月27日(2007.7.27)
【手続補正１】
【補正対象書類名】明細書
【補正対象項目名】０００８
【補正方法】変更
【補正の内容】
【０００８】
【図１】吉野  ヘリコンのスタイル図。
【図２】吉野  ヘリコンの斜視図。移動可能型人工衛星。トランスフォーム可能。
【図３】プロペラの構造例。個人レベルでの飛行も可能。
【図４】プロペラの構造例。例として、出し入れ可能。構造変換、曲がる、柔軟構造、可能。折りたたみ可能。重ね合わせ可能。トランスフォーム可能。
【図５】吉野の飛行のフォーメーションの例を示した図。
【図６】宙での航行、若しくは、浮上。燃料系の構造例。
【図７】吉野の宇宙船。ドラゴン・スタイル。スターシップ。
【図８】ドラゴン・ヘッド。宇宙の航行用ヘリコプター。
【図９】吉野ヘリコン：吉野ヘリコプター、吉野エアプレイン、吉野マジックスティック、吉野マジックブルーム、吉野マジックカーペット、吉野ジェット、吉野ドラゴンの構造システム図例。オプション・コンバータブル。オプション・コンパチブル。オプション・トランスフォーマー。オプションとして、形が変動しても良い。
【図１０】シャボン玉スティックの図例。オプション・ヒカリ。オプション・Ｒｆｉｄ。オプション・Ｉｃ。オプション・Ｉｃ・ｔａｇ。オプション・ＬＥＤ。オプション・シャボン・カラー・エンターテインメント。オプション・レーザー。オプション・レーザー・タグ。オプション・給油機。シャボン用の溶液を引き上げる。シャボン洗剤をまきながら掃除する、オプション・掃除機。
【図１１】飛行機の羽の例。スライダーとジョイントで、形をトランスフォームできる、翼の例。例えば、楕円がスライダー、円がジョイント、四角が、ロッド、全体でストラクチャーを作る。傘のような構造。
【図１２】ドラゴンの羽の例。ジョイントとメカニカル・ロッドで、形をトランスフォームできる、翼の例。この翼は、折りたたみ式。ストローの折りたたみ部のようなものでも良い。スライダーがあっても良いが、なくても大丈夫。ばね、ゴムや、布、プラスチックのシートで、覆われていても良い。制御に、ＰＷＭなどを使用してもよい。フラップは、似たように制御するする。鳥の羽、ドラゴンの羽を人工的に作るのが課題。ジェットエンジンによる垂直浮上も可能。羽を広げるのは、はじめでも良い。羽を広げるのは、浮上したあとでも良い。車庫や、空母への登場がしやすくなる。
【図１３】カー・スタイルのトランスフォーマーが、ロボット型、飛行機型、宇宙線型、ドラゴン型などに変形していく。有機的な柔軟なボディーを有していてもよい。合成物、金属的な素材でもよい。ジェットエンジン、イオンエンジン、プラズマエンジン、などを有していてもよい。地、水、空、宙、について、両用・コンパチブルであれば、より良い。
【図１４】吉野レベッカハルのドラゴンへの、他のアプローチ例。イルカ／空飛ぶイルカの例。形をトランスフォームできる、イルカの例。この翼は、折りたたみ式でも良い。空海両用のイルカ。
【図１５】イルカ／ドラゴンの羽の例。空海両用のジェットエンジンによる垂直浮上も可能。水面下のオペレーションに向いている。空のプロペラ／ジェットエンジンと海のプロペラ／ジェットエンジンのシールドによる選択でもよい。アヒル型／鷲型でもよい。
【図１６】イルカ／ドラゴンの羽の例。羽を広げるのは、はじめでも良い。羽を広げるのは、浮上したあとでも良い。車庫や、空母への登場がしやすくなる。空母から、潜水艦として、航行して、適宜なところで、浮上してもよい。水面に上がってから、加速、飛行してもよい。必要なら、原子炉、核融合炉といったリアクターを搭載していてもよい。ドラゴン型にトランスフォームしてもよい。
【図１７】イルカ／ドラゴンの例。羽を広げている図。飛行の状態に応じえて、羽のフォーメーションを作る。羽は、もっとスリムでもよい。柔軟な素材であっても良い。必要なところでは、硬い／頑丈な素材／物質でもよい。フラップがついていてもよい。
【図１８】イルカ／ドラゴンの例。羽を広げている図。飛行の状態に応じえて、羽のフォーメーションを作る。フラップの機構がより明らかな構図。
【図１９】鳥／燕／鷲／イルカ／ドラゴンの例。羽を広げている図。飛行の状態に応じえて、羽のフォーメーションを作る。柔軟な素材を有していてもよい。フラップの機構がより明らかな構図。飛行速度を上げるフォーメーション。ミサイルのように飛行してもよい。
【図２０】イルカのシークエンスの例。トランスフォーミングの例。フリップ・フロップしていてもよい。フリップした状態で、船のように浮上してもよい。
【図２１】ドラゴンの例。トランスフォーマーの例。フリップ・フロップしていてもよい。大きいサイズでもよい。
【図２２】吉野・フラクタル・ウィング。人工の羽。自然の羽でもよい。羽を有する翼。ナノ、マイクロの細工を施して、そのリフト／ウウェイト、効率、効果が上がるようにしてもよい。小さいサイズでもよい。中ほどのサイズでもよい。巨大なサイズの羽であってもよい。鳥の羽、扇、翼、のように、広げてもよい。カワセミのような防水用でもよい。柔軟でもよい。リサイズしてもよい。伸縮してもよい。形態を変えてもよい。色を変えてもよい。フラクタルの原理か、その応用による、羽、扇、翼の構造をしていてもよい。ストラクチャーは、鳥の羽の骨の内部構造／構造のようになっていてもよい。チェインのようなストラクチャーをしていてもよい。ネットのようなストラクチャーをしていてもよい。水の中に入る鳥のような、潜水もできる鳥のような、機能／機構があってもよい。ヨシノ・エフェクティヴ・ウィング・効果によって、効率を上げてもよい。
【図２３】吉野一虎の宇宙式・指揮。吉野・３Ｄ・インテリジェント・システムのアルゴリズム。特に、オートパイロット、オブジェクト・クラシフィケーションに役立つ。吉野・人工知能のアルゴリズム。インプットを入れる。３Ｄフレームをつくる。幅を作る。類似化する。分類する。一般化する。言語とリンクする。帰納論理を作る。構成論理を作る。機能論理を作る。組合せる。演繹論理を作る。トポロジー論理を作る。思考実験をする。実験をする。オブジェクト、インスタンスを製作する。アウトプットを出す。組合可能。
【図２４】吉野・ソフト・ウィング。人工の羽。自然の羽でもよい。吉野のソフト・ウィング／ハード・ウィング／組み合わせウィングの翼。折りたたみ式でも良い布、ナノ、マイクロの細工を施して、そのリフト／ウウェイト、効率、効果が上がるようにしてもよい。抵抗を減らして、音速以上を出すのでもよい。小さいサイズでもよい。中ほどのサイズでもよい。巨大なサイズの羽であってもよい。鳥の羽、扇、翼、飛行機の翼、グライダー、パラグライダーのように、広げてもよい。カワセミのような防水用布でもよい。柔軟でもよい。リサイズしてもよい。伸縮してもよい。形態を変えてもよい。色を変えてもよい。空気／ガスが、羽の中にあってもよい。
【図２５】吉野・フラクタル・ウィングの扇子型の例。スライド扇子型でもよい。折りたたみ式でも良い。応用として、ロボットにつけてもよい。ジェットエンジンなどと組み合わせるのも可能である。
【手続補正２】
【補正対象書類名】図面
【補正対象項目名】図２１
【補正方法】変更
【補正の内容】
【図２１】
2008285130.tif 000054
【手続補正３】
【補正対象書類名】図面
【補正対象項目名】図２２
【補正方法】変更
【補正の内容】
【図２２】
2008285130.tif 000055
【手続補正４】
【補正対象書類名】図面
【補正対象項目名】図２３
【補正方法】変更
【補正の内容】
【図２３】
2008285130.tif 000056
【手続補正５】
【補正対象書類名】図面
【補正対象項目名】図２４
【補正方法】追加
【補正の内容】
【図２４】
2008285130.tif 000057
【手続補正６】
【補正対象書類名】図面
【補正対象項目名】図２５
【補正方法】追加
【補正の内容】
【図２５】
2008285130.tif 000058